(57)【要約】【課題】熟練した技術者がいなくとも球飛び方向の微調整が可能な遊技機用球発射装置を目的とする。【解決手段】ベース１に反復駆動される弾球槌３を設けるとともに、前記ベース１に形成されたレール取付ブロック４に球打出し角度調整自在な発射レール６を取り付ける遊技機用発射レール装置であって、異なる高さをもつ複数のレール受部７ａを形成した角度調整ブロック７をレール取付ブロック４の先端に取り付け、該レール取付ブロック４のレール支持部４ａと角度調整ブロック７のレール受部７ａに発射レール６の側板６０ｂを支持させるものである。【選択図】図１
2014104329.tif 000002
【特許請求の範囲】
【請求項１】
ベースに反復駆動される弾球槌を設けるとともに、前記ベースに形成されたレール取付ブロックに球打出し角度調整自在な発射レールを取り付ける遊技機用発射レール装置であって、異なる高さをもつ複数のレール受部を形成した角度調整ブロックをレール取付ブロックの先端に取り付け、該レール取付ブロックのレール支持部と角度調整ブロックのレール受部に発射レールの側板を支持させることを特徴とする遊技機用球発射装置。
【請求項２】
角度調整ブロックを断面十字形としてレール受部を４箇所形成し、各レール受部の上面を発射レール受とするとともに、各レール受部の両側をレール取付ブロックに形成された位置決め部への当接部としたことを特徴とする請求項１に記載の遊技機用球発射装置。
【請求項３】
角度調整ブロックの各レール受部の上面を傾斜面とし、レール取付ブロックのレール支持部後方に発射レールの側板後部を受ける弧状凸部を形成したことを特徴とする請求項１または２に記載の遊技機用球発射装置。
【請求項４】
角度調整ブロックの前表面に傾斜状態を表示する表示部を設けたことを特徴とする請求項１、２、３に記載の遊技機用球発射装置。
【請求項５】
レール取付ブロックに設けられる発射レールの位置決めピンの外径より、発射レールに形成される位置決めピン嵌合孔を球打出し方向に大きく拡径したことを特徴とする請求項１、２、３、４に記載の遊技機用球発射装置。
【請求項６】
発射レールの側面に補強板を添装することを特徴とする請求項１、２、３、４、５に記載の遊技機用球発射装置。
【発明の詳細な説明】
【技術分野】
【０００１】
本発明は遊技機の盤面内に球を打出す遊技機用球発射装置に関するものである。
【背景技術】
【０００２】
遊技機の球の打出し方向を遊技盤面方向とガラス面方向に調整自在とするため、発射レールの傾きを可変とする高さ調整機構を設けたものがある（例えば、特許文献１参照）。
【０００３】
この高さ調整機構は、調整ネジを回すことにより、発射レール取付部材の下面からの調整ネジ先端の突出量を調整して発射レールの傾きを調整するものである。そのため、生産時の検査においては、検査機によって測定された球飛び方向のズレに応じて調整ネジの回転量を決めなくてはならないので、球飛び方向の微調整は極めて難しく熟練した技術者しかできなかった。また、輸送時や遊技時の振動によって調整ネジが緩んでしまうことで、球飛び方向が変化してしまう恐れもあった。
【先行技術文献】
【特許文献】
【０００４】
【特許文献１】特開２００１−１２９１７３号公報
【発明の概要】
【発明が解決しようとする課題】
【０００５】
本発明は熟練した技術者がいなくとも球飛び方向の微調整が可能で、振動によっても球飛び方向が変化しない遊技機用球発射装置を提供することを目的とするものである。
【課題を解決するための手段】
【０００６】
本発明はベースに反復駆動される弾球槌を設けるとともに、前記ベースに形成されたレール取付ブロックに球打出し角度調整自在な発射レールを取り付ける遊技機用発射レール装置であって、異なる高さをもつ複数のレール受部を形成した角度調整ブロックをレール取付ブロックの先端に取り付け、該レール取付ブロックのレール支持部と角度調整ブロックのレール受部に発射レールの側板を支持させることを特徴とする遊技機用球発射装置である。
【０００７】
なお、角度調整ブロックを断面十字形としてレール受部を４箇所形成し、各レール受部の上面を発射レール受とするとともに、各レール受部の両側をレール取付ブロックに形成された位置決め部への当接部としたり、角度調整ブロックの各レール受部の上面を傾斜面とし、レール取付ブロックのレール支持部後方に発射レールの側板後部を受ける弧状凸部を形成したり、角度調整ブロックの前表面に傾斜状態を表示する表示部を設けたり、レール取付ブロックに設けられる発射レールの位置決めピンの外径より、発射レールに形成される位置決めピン嵌合孔を球打出し方向に大きく拡径したものとしたり、発射レールの側面に補強板を添装するものとしてもよい。
【発明の効果】
【０００８】
本発明は異なる高さをもつ複数のレール受部を形成した角度調整ブロックをレール取付ブロックの先端に取り付け、該レール取付ブロックのレール支持部と角度調整ブロックのレール受部に発射レールの側板を支持させることにより、傾斜の異なるレール受部に変更するだけで、球飛び方向を微調整することができることとなり、熟練した技術者がいなくとも精度が高く、さらに輸送時や遊技時の振動によってもその精度が変化しない遊技機用球発射装置を製造することができる。
【０００９】
また、請求項２のように、角度調整ブロックを断面十字形としてレール受部を４箇所形成し、各レール受部の上面を発射レール受とするとともに、各レール受部の両側をレール取付ブロックに形成された位置決め部への当接部としたことにより、角度調整ブロックの嵌合部をレール取付ブロックの位置決め部に嵌合係止すれば、基準位置が正確に自動的に設定されるので、角度調整に熟練した技術は不要となる。
【００１０】
請求項３のように、角度調整ブロックの各レール受部の上面を傾斜面とし、レール取付ブロックのレール支持部後方に発射レールの側板後部を受ける弧状凸部を形成したことによりすることにより、発射レールは、角度調整ブロックの傾斜面で支持されるので、発射レールの角度を高精度で遊技盤面方向、ガラス面方向に設定することができる。また、発射レールの側板後方は弧状凸部に線接触して支持されるので、高さの異なる複数のレール受部に受けられる発射レールの各角度に対応できる。さらに、弧状凸部とすることにより締付時の応力が分散され、弧状凸部の変形を抑えることができるので精度の高い角度調整でできる。
【００１１】
請求項４のように、角度調整ブロックの前表面に傾斜状態を表示する表示部を設けたことにより、大きさを目視確認できないレール受部の傾斜状態を容易に確認でき、正確な調整作業を簡単、且つ迅速に行うことができる。
【００１２】
請求項５のように、レール取付ブロックに設けられる発射レールの位置決めピンの外径より、発射レールに形成される位置決めピン嵌合孔を球打出し方向に大きく拡径したことにより、角度調整による発射レールの傾き及び加工上の誤差を吸収できる。
【００１３】
請求項６のように、発射レールの側面に補強板を添装することにより、発射レールの取付時、締付力により発射レールが変形することを防止できるので、発射レールの歪による球飛び不良の発生を防止することができる。
【図面の簡単な説明】
【００１４】
【図１】本発明の好ましい実施形態を示す一部切欠斜視図である。
【図２】本発明の好ましい実施形態の要部を拡大して示す一部切欠斜視図である。
【図３】発射レールの取付構造を示す一部切欠斜視図である。
【図４】レール取付ブロックを示す一部切欠斜視図である
【図５】本発明の好ましい実施形態を分解して示す斜視図である。
【図６】本発明の好ましい実施形態の組み付け状態を示す斜視図である。
【図７】角度調整ブロックの斜視図である。
【図８】角度調整ブロックの正面図である。
【図９】角度調整ブロックの側面図である。
【図１０】角度調整ブロックの平面図である。
【図１１】角度調整ブロックの無調整状態を示す正面図である。
【図１２】角度調整ブロックをガラス側（-0.2°）に傾斜させた状態を示す正面図である。
【図１３】角度調整ブロックを盤面側（0.2°）に傾斜させた状態を示す正面図である。
【図１４】角度調整ブロックを盤面側（0.4°)に傾斜させた状態を示す正面図である。
【図１５】発射レールの取付状態を示す側面図である。
【発明を実施するための形態】
【００１５】
次に、本発明の好ましい実施形態を図に基づき詳細に説明する。
図１において、１はポリエーテルイミド等の樹脂製のベースであり、該ベース１にはロータリソレノイド２により反復駆動を行う弾球槌３が取り付けられている。４は弾球槌３の枢動軌跡に臨むようベース１に設けられたレール取付ブロック、５はレール取付ブロック４と向き合ってベース１に設けられる球止めブロックである。６はレール取付ブロック４に側板を介して取付けられる発射レール、７はレール取付ブロック４の先端に取付けられる角度調整ブロックである。８はベース１の弾球槌の弾球停止位置に取り付けられたゴムストッパ、９はベース１の弾球槌３の打球開始前位置に設けられたゴムストッパである。
【００１６】
前記レール取付ブロック４は図４に示すように、ベース１に長円形状のブロックを立設したもので、その上面には発射レール６を取り付けるための位置決めピン４０、４０とビス止め孔４１、４１とを設けるととともに、図１５に示すように、後方に発射レール６の側板後部を受ける弧状凸部４２、４２が設けられている。弧状凸部４２、４２により発射レール６の側板後部を線接触で受けることにより、発射レール６の角度が遊技盤面側、ガラス面側の何れの方向でも的確に調整することができるうえに、円弧状とすることにより締付時の応力が分散され、変形を抑えることができるので精度の高い角度調整が可能となる。
【００１７】
また、先方の低段部には角度調整ブロック７のレール受部７ａを嵌合係止させる凹段部よりなる位置決め部４３が形成されており、角度調整ブロック７の各レール受部７ａ及びレール受部７ｃは図８に示すように、ビス孔７ｂの中心から各レール受部７ａ、７ｃの側面までの距離Ｈを一定としているので、左右に形成されるレール受部の側面は基準面となる。該基準面を位置決め部４３の左右の凸部上面に係止させ、位置決め部４３の凹部内にレール受部の傾斜面が当接しない状態で嵌合係止することにより、角度調整ブロック７は精度よく簡単に位置決めできる。４４は位置決め部４３に続いて形成される小幅のアーチ形状部であり、該アーチ形状部４４の先端面に角度調整ブロック７はビス止めされる。
【００１８】
断面Ｍ字状の発射レール６は図６に示すように、側板６０ａにレール取付ブロック４に嵌合できる長円形孔６１が形成され、側板６０ｂには前記位置決めピン４０、４０を遊嵌させる位置決めピン嵌合孔６２、６２とビス止め孔６３、６３が形成されている。位置決めピン嵌合孔６２、６２は球打出し方向に大きく拡径される長円形として、角度調整する際生じる発射レール６の傾きに対応できるようになっている。また、発射レール６の角度調整を行った際、側板６０ａの基端縁がベース１にぶつからないよう、発射レール６はベース１から浮いた状態でレール取付ブロック４に取付けられる。なお、実施形態では発射レール６は断面Ｍ字状としているが、位置決めピン嵌合孔６２、６２とビス止め孔６３、６３が形成されている側板６０ｂだけの断面Ｌ形のものとしてもよい。
【００１９】
角度調整ブロック７は断面十字形として中央にビス孔７ｂを形成するとともに、上面に異なる高さをもつ３個のレール受部７ａと基準の高さをもつ１個のレール受部７ｃを形成したもので、該各レール受部７ａの上面は図７、８、９、１０に示すように、ガラス側、即ち−０．２°傾斜した第１の傾斜面７０と、盤面側に０．２°傾斜した第２の傾斜面７１と、盤面側に０．４°傾斜させた第３の傾斜面７２とからなり、基準の高をもつレール受部７ｃは傾斜角度０°の無傾斜面７３とする。７５は表示部であり、該表示部７５は角度調整ブロック７の前表面に刻設される傾斜状態を表示する３種類の半球状の刻印であり、半球状一つのものが第１の傾斜面７０を有するもので、半球状二つのものが第２の傾斜面７１を有するもので、半球状三つのものが第３の傾斜面７２を有するものである。また、表示部７５は突起として手触りでも確認できるものとしている。なお、実施形態では角度調整ブロック７を断面十字状としているが、５角形乃至６角形の多角形体としてもよい。
【００２０】
１０は発射レール６の他方の側板６０ｂの内面に添装される補強板であり、該補強板１０は図３、６に示すように、発射レール６と他方の側板と略同一形状で板厚を発射レール６の２倍以上として、発射レール６をレール取付ブロック４にビス止めする際、過大な締付力が加わっても発射レール６に歪が生じないようにしている。なお、実施形態ではプレス加工が容易にするため発射レール６の板厚を薄くして補強板１０を添装しているが、発射レール６の板厚を厚くすれば補強板１０が不要である。
【００２１】
このような遊技機用球発射装置は発射レール６を図１１に示すように、角度調整ブロック７の角度０°の無傾斜面７３をもつレール受部７ｃに支持させて組み付けた後、弾球テストを行って、球飛びが遊技機のガラス面側または盤面側にぶれるかをチェックする。そして、球飛びがガラス面側にぶれる場合、発射レール６を外したうえ、角度調整ブロック７を位置決め部４３から外し、半球状の刻印よりなる表示部７５が二つ付いている盤面側に０．２°傾斜する第２の傾斜面７１が発射レール６を受けるよう、図１３に示すように、第３の傾斜面７２をもつレール受部７ａを位置決め部４３に嵌合係止させてビス止めする。
【００２２】
角度調整ブロック７の取付後、レール取付ブロック４に発射レール６を取り付ければ、発射レール６は盤面側に０．２°角度調整されるので、再び、弾球テストを行い球ぶれが生じるか確認する。ガラス側にぶれが残っていれば、球によりガラスが破損され遊技者を傷つける可能性があるので、前記と同様にしてより盤面側に０．４°傾斜する第３の傾斜面７２により発射レール６が受けられるよう、図１４に示すように、無傾斜面７３をもつレール受部７ｃを位置決め部４３に嵌合係止させてビス止めする。
【００２３】
また、球飛びが盤面側にぶれる場合、発射レール６を外したうえ、角度調整ブロック７を位置決め部４３から外し、半球状の刻印よりなる表示部７５が一つ付いているガラス側に−０．２°傾斜する第２の傾斜面７１が発射レール６を受けるよう、図１２に示すように、第２の傾斜面７１をもつレール受部７ａを位置決め部４３に嵌合係止させてビス止めする。盤面側にぶれる場合、ガラスが破損して遊技者を傷つける可能性がないので調整はこれで完了となる。このように角度調整ブロック７を用いることにより熟練した技術者がいなくとも精度の高い発射レール６の角度調整が可能となる。
【符号の説明】
【００２４】
１  ベース
２  ロータリソレノイド
３  弾球槌
４  レール取付ブロック
4a  レール支持部
40  位置決めピン
41  ビス止め孔
42  弧状凸部
43  位置決め部
44  アーチ形状部
５  球止めブロック
６  発射レール
60a  側板
60b  側板
61  長円形孔
62  位置決めピン嵌合孔
63  ビス止め孔
７  角度調整ブロック
7a  レール受部
7b  ビス孔
7c  基準の高さをもつレール受部
70  ガラス側に向かう傾斜面
71  盤面側に向かう傾斜面
72  盤面側に向かう傾斜面
73  無傾斜面
75  表示部
８  ゴムストッパ
９  ゴムストッパ
10  補強板
【図１】
2014104329.tif 000003
【図２】
2014104329.tif 000004
【図３】
2014104329.tif 000005
【図４】
2014104329.tif 000006
【図５】
2014104329.tif 000007
【図６】
2014104329.tif 000008
【図７】
2014104329.tif 000009
【図８】
2014104329.tif 000010
【図９】
2014104329.tif 000011
【図１０】
2014104329.tif 000012
【図１１】
2014104329.tif 000013
【図１２】
2014104329.tif 000014
【図１３】
2014104329.tif 000015
【図１４】
2014104329.tif 000016
【図１５】
2014104329.tif 000017